(57)【要約】【課題】タッチセンサ機能を内蔵する表示装置搭載の電子機器において、表示消灯中のタッチ操作を可能としながら、消費電力の低減を可能にする。【解決手段】電子機器（１００）は、表示画面側において近接物の近接を検出するタッチセンサを有するタッチセンサ機能付きの表示装置と、前記表示装置へ映像を表示するための映像信号に同期して前記タッチセンサの制御を実施する第１の同期手段と、前記第１の同期手段とは異なる同期信号に同期して前記タッチセンサの制御を実施する第２の同期手段を有し、前記表示装置へ映像表示を行う際には、前記第１の同期手段で前記タッチセンサの制御を行い、前記表示装置へ映像表示を行わない際には、前記第２の同期手段で前記タッチセンサの制御を行い、前記表示装置へ映像表示を行わない際には、前記表示装置への前記映像信号の生成を停止する。【選択図】図２
2018074216.tif 000002
【特許請求の範囲】
【請求項１】
表示画面側において近接物の近接を検出するタッチセンサを有するタッチセンサ機能付きの表示装置と、
前記表示装置へ映像を表示するための映像信号を生成する映像信号生成手段と、
前記表示装置に映像を表示するか否かを選択するための表示切り替え手段と、
前記表示装置へ映像を表示するための映像信号に同期して前記タッチセンサの制御を実施する第１の同期手段と、
前記第１の同期手段とは異なる同期信号に同期して前記タッチセンサの制御を実施する第２の同期手段と
を有し、
前記表示装置へ映像表示を行う際には、前記第１の同期手段で前記タッチセンサの制御を行い、
前記表示装置へ映像表示を行わない際には、前記第２の同期手段で前記タッチセンサの制御を行い、
前記表示装置へ映像表示を行わない際には、前記表示装置への前記映像信号の生成を停止することを特徴とする電子機器。
【請求項２】
前記第１の同期手段とは異なる同期信号は、前記表示装置の内部で生成されることと特徴とする請求項１に記載の電子機器。
【請求項３】
前記表示装置へ映像表示を行わない際には、前記表示装置への前記映像信号出力回路の駆動を停止することを特徴とする請求項１に記載の電子機器。
【請求項４】
前記表示装置へ映像表示を行わない際には、前記表示装置の前記映像信号受信回路の駆動を停止することを特徴とする請求項１に記載の電子機器。
【請求項５】
前記表示装置へ映像表示を行う際には、前記表示装置の前記第２の同期手段の駆動を停止することを特徴とする請求項１に記載の電子機器。
【請求項６】
表示画面側において近接物の近接を検出するタッチセンサを有するタッチセンサ機能付きの第１の表示装置と、
前記第１の表示装置へ映像を表示するための映像信号を生成する映像信号生成手段と、
前記第１の表示装置とは異なる第２の表示装置と、
前記第１の表示装置と前記第２の表示装置とのどちらに映像を表示するかを選択するための表示切り替え手段と、
前記第１の表示装置へ映像を表示するための映像信号に同期して前記タッチセンサの制御を実施する第１の同期手段と、
前記第１の同期手段とは異なる同期信号に同期して前記タッチセンサの制御を実施する第２の同期手段と
を有し、
前記第１の表示装置へ映像を表示する際には前記第１の同期手段で前記タッチセンサの制御を行い、
前記第２の表示装置へ映像表示を行う際には前記第２の同期手段で前記タッチセンサの制御を行い、
前記第２の表示装置へ映像表示を行う際には、前記第１の表示装置への前記映像信号の生成を停止することを特徴とする電子機器。
【発明の詳細な説明】
【技術分野】
【０００１】
本発明は、タッチセンサ機能付きの表示装置を有する電子機器に関する。
【背景技術】
【０００２】
デジタル一眼レフカメラ等のように、ビューファインダー及び背面ディスプレイを備えた撮像装置では、ビューファインダーの近傍に接眼検出手段を備えているものがある。撮影者がビューファインダーに接眼したことを検出すると、背面ディスプレイの表示を消灯する。これにより、撮影者が背面ディスプレイの光を眩しく感じることを防ぎ、且つ消費電力の低減が可能となる。
【０００３】
このような撮像装置において、背面ディスプレイに撮像モード選択や各種設定を行うためのタッチパネル操作機能を設けたカメラがある。特許文献１では、設定手段により登録された眼の情報に応じて、タッチパネルのうち接触による入力が可能な入力可能領域を設定する技術が開示されている。これにより、ビューファインダーを覗いた撮影者の顔の一部がタッチパネルの入力可能領域外に接触しても、操作として受け付けない。ビューファインダーを覗きながらも、タッチパネルの入力可能領にて、タッチ操作を行うことができる。
【０００４】
一方で、デジタルカメラ等の携帯機器に多く使用される静電容量方式のタッチパネルにおいて、インセルタッチパネルと呼ばれる、タッチセンサ機能を内蔵する表示装置が特許文献２に開示されている。一般的に、静電容量方式では、タッチパネル面に格子状に配置された複数の列電極と、複数の行電極が直交した電極を形成する。この直交する電極の一方が電圧を駆動する走査線、もう一方が電圧変化量を測定する読み出し線として作用する。指等の導電体の有無による読み出し線の電圧変化量を静電容量変化量として測定し、タッチ検出判定を行う。
【０００５】
インセルタッチパネルでは、列電極或いは行電極の一方を、表示部に備えられている電極と兼用することで、タッチパネル電極を形成するための層を削減することができる。これにより、タッチパネル付表示装置の薄型化が可能となり、携帯機器を軽量化・小型化できる。
【先行技術文献】
【特許文献】
【０００６】
【特許文献１】特開２００９−２６０６８１号公報
【特許文献２】特開２００９−２４４９５８号公報
【発明の概要】
【発明が解決しようとする課題】
【０００７】
前述の通り、インセルタッチパネルは、タッチパネル電極を表示部の駆動に使用する電極と兼用している。このため、表示部を駆動していないとタッチパネルを操作できない。具体的には、表示装置の駆動は、表示装置に入力される映像信号の水平同期信号及び垂直同期信号に同期し、表示装置のゲート電極、ソース電極、コモン電極駆動に必要な電圧を生成する。つまり、映像信号が表示装置には入力されていない状態ではタッチパネルを操作できない。
【０００８】
更に、タッチパネルのスキャンクロックに関しても、映像信号の水平同期信号及び垂直同期信号に同期して生成することが一般的である。一方で、前述のビューファインダー及び背面ディスプレイを備えた撮像装置では、撮影者がビューファインダーに接眼したことを接眼検出手段が検出すると、背面ディスプレイの表示を消灯することで、消費電力の低減を図る。
【０００９】
この時、インセルタッチパネルを使用している場合は、常に映像信号を表示装置に入力していないと、タッチ操作ができない。映像信号の生成、及び送受信回路等に必要な電力分だけ消費電力が増加するという課題があった。
【課題を解決するための手段】
【００１０】
本発明に係る電子機器の一つは、表示画面側において近接物の近接を検出するタッチセンサを有するタッチセンサ機能付きの表示装置と、前記表示装置へ映像を表示するための映像信号を生成する映像信号生成手段と、前記表示装置に映像を表示するか否かを選択するための表示切り替え手段と、前記表示装置へ映像を表示するための映像信号に同期して前記タッチセンサの制御を実施する第１の同期手段と、前記第１の同期手段とは異なる同期信号に同期して前記タッチセンサの制御を実施する第２の同期手段とを有し、前記表示装置へ映像表示を行う際には、前記第１の同期手段で前記タッチセンサの制御を行い、前記表示装置へ映像表示を行わない際には、前記第２の同期手段で前記タッチセンサの制御を行い、前記表示装置へ映像表示を行わない際には、前記表示装置への前記映像信号の生成を停止することを特徴とする。
【００１１】
本発明に係る電子機器の一つは、表示画面側において近接物の近接を検出するタッチセンサを有するタッチセンサ機能付きの第１の表示装置と、前記第１の表示装置へ映像を表示するための映像信号を生成する映像信号生成手段と、前記第１の表示装置とは異なる第２の表示装置と、前記第１の表示装置と前記第２の表示装置とのどちらに映像を表示するかを選択するための表示切り替え手段と、前記第１の表示装置へ映像を表示するための映像信号に同期して前記タッチセンサの制御を実施する第１の同期手段と、前記第１の同期手段とは異なる同期信号に同期して前記タッチセンサの制御を実施する第２の同期手段とを有し、前記第１の表示装置へ映像を表示する際には前記第１の同期手段で前記タッチセンサの制御を行い、前記第２の表示装置へ映像表示を行う際には前記第２の同期手段で前記タッチセンサの制御を行い、前記第２の表示装置へ映像表示を行う際には、前記第１の表示装置への前記映像信号の生成を停止することを特徴とする。
【発明の効果】
【００１２】
本発明によれば、タッチセンサ機能を内蔵する表示装置搭載の電子機器において、表示消灯中のタッチ操作を可能としながら、消費電力の低減が可能となる。
【図面の簡単な説明】
【００１３】
【図１】実施形態１における電子機器１００が有する背面ディスプレイ１１０の構成の一例を説明するための図である。
【図２】電子機器１００の構成の一例を説明するためのブロック図である。
【図３】電子機器１００の後方視図面の一例である。
【図４】背面ディスプレイ１１０に関する制御処理を説明するためのフローチャートである。
【発明を実施するための形態】
【００１４】
以下、図面を参照して本発明の実施形態を説明する。ただし、本発明は以下の実施形態に限定されるものではない。
【００１５】
［実施形態１］
図２は、実施形態１における電子機器１００の構成の一例を説明するためのブロック図である。電子機器１００は、例えば、タッチパネル機能付表示装置を有する撮像装置として動作する。実施形態１では、電子機器１００がレンズユニット交換式撮像装置である場合を説明するが、電子機器１００は、レンズユニット交換式以外の撮像装置であってもよい。
【００１６】
１２１は撮像素子であり、レンズ２１０、絞り２１１、レンズマウント１０２及び２０２、シャッター１４４を介して不図示の被写体の光学像が結像し、その光学像を電気信号に変換する。１２２はＡ／Ｄ変換部であり、撮像素子１２１のアナログ信号出力をデジタル信号に変換する。Ａ／Ｄ変換部１２２でＡ／Ｄ変換されたデジタル信号は、メモリ制御部１２４及びシステム制御部１２０により制御され、メモリ１２７に格納される。
【００１７】
１２３は画像処理部であり、Ａ／Ｄ変換部１２２でＡ／Ｄ変換されたデジタル信号のデータ或いはメモリ制御部１２４からのデータに対して所定の画素補間処理や色変換処理を行う。画像処理部１２３は、適応離散コサイン変換（ＡＤＣＴ）等により画像データを圧縮伸長する圧縮・伸長回路も有する。メモリ１２７に格納された画像を読み込んで圧縮処理或いは伸長処理を行い、処理を終えたデータをメモリ１２７に書き込むことも可能である。
【００１８】
１２９は画像演算部である。ＡＦ（オートフォーカス）処理を行うために、撮像画像のコントラスト値を計算し、コントラスト値から撮影画像の合焦状態を測定することができる。また、ＡＥ（自動露出）処理を行うために、撮影画像から露出状態を測定することができる。
【００１９】
１２４はメモリ制御部であり、Ａ／Ｄ変換部１２２、画像処理部１２３、背面ディスプレイ１１０、ＥＶＦ（電子ビューファインダー）１５２、外部着脱メモリ部１３０とメモリ１２７間のデータの送受を制御する。Ａ／Ｄ変換部１２２のデータが画像処理部１２３、メモリ制御部１２４を介して、或いはＡ／Ｄ変換部１２２のデータが直接メモリ制御部１２４を介して、メモリ１２７に書き込まれる。
【００２０】
１１０は電子機器１００の背面ディスプレイで、タッチパネル機能付の液晶ディスプレイ型表示装置である。液晶パネル表示部１２５、バックライト照明部１２６及びタッチパネル部１５１により構成される。
【００２１】
１２５は液晶パネル表示部であり、システム制御部１２０の指示により、メモリ１２７の画像表示データ用領域に格納されたメニュー画面、又は外部着脱メモリ部１３０に格納された画像ファイルを表示することが可能である。また、撮像素子から得られた撮像データを逐次リアルタイムにスルー画像表示することで、「ライブビュー」撮影を行うことができる。１２６はバックライト照明であり、液晶パネル表示部１２５に対して背面照射する。バックライト照明の光源素子としては、ＬＥＤ、有機ＥＬ、蛍光管等がある。システム制御部１２０の指示により、照明を任意に点灯或いは消灯することが可能である。
【００２２】
１５１はタッチパネル部であり、タッチ検出方式としては、静電容量方式が使用される。静電容量方式では、列配列された複数の列電極と、行配列された複数の行電極が直交した電極を形成する。詳細は後述するが、行電極部は液晶パネル表示部のコモン駆動信号ＶＣＯＭを印加するための電極と共通となっている。これにより、タッチパネル電極を形成するためのガラス基板層或いはフィルム基板層を削減することができ、背面ディスプレイ１１０の薄型化を実現できる。
【００２３】
１２０は電子機器１００全体を制御するシステム制御部である。１２７は撮影した静止画像及び動画像、再生用表示のための画像のデータを格納するためのメモリであり、所定枚数の静止画像や動画像を格納するのに十分な記憶量を有する。なお、メモリ１２７はシステム制御部１２０のプログラムスタック領域、ステータス記憶領域、演算用領域、ワーク用領域、画像表示データ用領域が確保されている。各種の演算は、メモリ１２７の演算用領域を利用し、システム制御部１２０により実行される。
【００２４】
１２８は電気的に消去・記録可能な不揮発性メモリであり、例えばフラッシュメモリやＥＥＰＲＯＭ等が用いられる。不揮発性メモリ１２８には、撮影状態の保存や、電子機器１００を制御するプログラムが格納されている。１３０はコンパクトフラッシュ（登録商標）やＳＤカードといった記録媒体に画像ファイル記録や読出を行うための外部着脱メモリ部である。
【００２５】
１３１は電源部であり、電池、電池検出回路、ＤＣ−ＤＣコンバータ、通電するブロックを切り替えるスイッチ回路等により構成されており、電池の装着の有無、電池の種類、電池残量の検出を行う。また、検出結果及びシステム制御部１２０の指示に基づいてＤＣ−ＤＣコンバータを制御し、必要な電圧を必要な期間、各ブロック部へ供給する。１４０はカメラ制御部であり、シャッター制御部１４１、レンズ制御部２０４、ストロボ発光制御部３０２との送受信によりカメラとしての一連の動作を制御する。１４１はシャッター制御部であり、画像演算部１２９からの露出情報に基づいて、絞り２１１を制御するレンズ制御部２０３と連携しながら、シャッター１４４を制御する。
【００２６】
１３２、１３３、１３４、１３５、１３６、１３７及び１３８は、システム制御部１２０の各種の動作指示を入力するための操作手段である。操作手段は、スイッチやダイヤル、等の単数或いは複数の組み合わせで構成される。ここで、これらの操作手段の具体的な説明を行う。１３２は再生表示スイッチであり、背面ディスプレイ１１０に所定の画像データを表示する再生表示モード操作ができる。外部着脱メモリ部１３０に格納された画像ファイルを再生表示する場合は、必ずこの再生スイッチ１３２により操作する。また、再生表示モードにてこの操作が行われた場合には、再生表示モードから撮影モードへの切り替えができる。
【００２７】
１３３はメニュースイッチであり、背面ディスプレイ１１０に各種項目一覧を表示する。この表示内容としては撮影に関する状態設定、記録媒体のフォーマット、時計の設定、現像パラメータ設定、及びユーザ機能設定（カスタム機能の設定）がある。１３４はモードダイアルである。自動撮影モード、プログラム撮影モード、シャッター速度優先撮影モード、絞り優先撮影モード、マニュアル撮影モード、ポートレート撮影モード、風景撮影モード、スポーツ撮影モード、夜景撮影モード、動画モード等の各機能撮影モードを切り替えることができる。
【００２８】
１３５はレリーズスイッチであり、レリーズボタンの半押し（ＳＷ１）及び全押し（ＳＷ２）で各々ＯＮとなるスイッチである。半押し状態ではＡＦ処理、ＡＥ処理、ＡＷＢ（オートホワイトバランス）処理、ＥＦ（フラッシュ調光）処理等の動作開始を指示する。全押し状態では、撮像素子１２１から読み出した信号をＡ／Ｄ変換部１２２、メモリ制御部１２４を介してメモリ１２７に画像データを書き込む撮像処理、画像処理部１２３やメモリ制御部１２４での演算を用いた現像処理を行う。さらに、メモリ１２７から画像データを読み出し、画像処理部１２３で圧縮を行い、外部着脱メモリ部１３０に装着された不図示の記録媒体に画像データを書き込む記録処理という一連の処理の動作開始を指示する。
【００２９】
１３６は各種ボタンスイッチからなる操作部であり、撮影モード、連写モード、セット、マクロ、ページ送り、フラッシュ設定、メニュー移動、ホワイトバランス選択、撮影画質選択、露出補正、日付／時間設定ができる。さらにライブビュー撮影開始及び停止を行うスイッチや、上下左右方向スイッチ、再生画像のズーム倍率変更スイッチ、撮影直後に撮影画像を自動再生するクイックレビューＯＮ／ＯＦＦスイッチ、再生画像を消去するスイッチがある。背面ディスプレイ及びＥＶＦの画像表示ＯＮ／ＯＦＦスイッチも兼ねている。
【００３０】
また、ＪＰＥＧ及びＭＰＥＧ圧縮の各圧縮率と、撮像素子の信号をそのままデジタル化して記録するＣＣＤＲＡＷモードとを選択する圧縮モードスイッチがある。その他、レリーズスイッチ半押し状態でＡＦの合焦状態を保ち続けるワンショットＡＦモードと連続してＡＦ動作を続けるサーボＡＦモードとを設定するＡＦモード設定スイッチ等がある。１３７は電子ダイヤルであり、シャッタースピード、絞り値、露出等を設定することができる。
【００３１】
１３８は電源スイッチであり、電子機器１００の電源オン、電源オフの各モードを切り替え設定することができる。また、電子機器１００に接続されたレンズユニット２００、ストロボユニット３００、記録媒体等の各種付属装置の電源オン、電源オフの設定も合わせて切り替え設定することができる。１３９はタイマーであり、時計機能、カレンダー機能、タイマーカウンター機能、アラーム機能があり、スリープモードへの移行時間や、アラーム通知等のシステム管理に用いられる。
【００３２】
１５０は接眼検出部であり、ＥＶＦ１５２周辺に、赤外発光体、受光回路で構成されている。一定間隔で赤外光を発光し、被検出物体で反射した光量を測定することにより、既定位置に被検出物体があるかどうかを検出する。
【００３３】
１５２はＥＶＦであり、有機ＥＬ型や液晶ディスプレイ型等により構成される。背面ディスプレイ１１０同様に、システム制御部１２０の指示により、メニュー画面、画像ファイル、ライブビュー表示等が可能である。背面ディスプレイ１１０及びＥＶＦ１５２は、操作ボタン１３６等により各々の表示を独立にＯＮ／ＯＦＦ制御することが可能であり、同時に表示することも当然のことながら可能である。また、接眼検出部１５０の検出結果に応じて、接眼非検出時は背面ディスプレイ１１０へ表示し、接眼検出時にはＥＶＦ１５２へ表示する表示切り替えを行うことができる。
【００３４】
１０２及び２０２はレンズマウントであり、電子機器１００をレンズユニット２００と接続するためのインターフェースである。１０１及び２０１は電子機器１００をレンズユニット２００と電気的に接続するコネクタであり、カメラ制御部１４０により制御される。１１１及び３０１はアクセサリシューであり、電子機器１００をストロボユニット３００と接続するためのインターフェースである。２００は交換レンズタイプのレンズユニットであり、不図示の被写体の光学像をレンズ２１０から、絞り２１１、レンズマウント２０２及び１０２、シャッター１４４を介して導き、撮像素子１２１上に結像することができる。
【００３５】
２０３はレンズユニット２００全体を制御するレンズ制御部である。レンズ制御部２０３は、動作用の定数、変数、プログラム等を記憶するメモリやレンズユニット２００固有の番号等の識別情報、管理情報、開放絞り値や最小絞り値、焦点距離等の機能情報、現在や過去の各設定値等を保持する不揮発メモリの機能も有する。レンズ制御部２０３は、画像演算部１２９より測定された画像の合焦状態に応じて、レンズ２１０のフォーカシングを制御し、撮像素子１２１に入射する被写体像の結像位置を変更することでＡＦ動作を行うことが可能である。また、レンズ制御部２０３は絞り２１１の制御や、レンズ２１０のズーミングを制御する機能も兼ね備える。
【００３６】
３００はアクセサリシュー１１１に接続するストロボユニットである。３０１はアクセサリシュー１１１内において、ストロボユニット３００と電子機器１００と電気的に接続するインターフェースである。３０２はストロボユニット３００全体を制御するストロボ発光制御部であり、不図示のキセノン管等の発光部に対し、画像演算部１２９からの露出情報に基づいて発光量や発光タイミングを制御することでＥＦ制御を行う。
【００３７】
図３は、電子機器１００の後方視図面の一例である。４０１は電子機器１００のファインダーを示している。ファインダー内部には、ＥＶＦ１５２が設置されている。４０２ａ、４０２ｂは、接眼検出部１５０の赤外発光レンズ窓４０２ａと、受光レンズ窓４０２ｂを示す。４０３には、背面ディスプレイ１１０が設置されている。
【００３８】
次に、図１（ａ）及び図１（ｂ）を参照し、背面ディスプレイ１１０の構成の一例を説明する。タッチパネル部１５１は、静電容量方式のタッチパネルであり、列配列された複数の列電極と、行配列された複数の行電極が直交した電極を形成する。この直交する電極の行電極を走査線とし、列電極を読出線として使用する。行電極は、液晶パネル表示部１２５のコモン駆動信号ＶＣＯＭを印加するための電極と共通となっている。
【００３９】
このコモン駆動信号ＶＣＯＭは、不図示の画素電極に印加される画素電圧とともに各画素の表示電圧を決定する。このため、行電極部は液晶パネル表示部１２５のＴＦＴ基板上に形成されている。一方で、列電極部は、液晶パネル表示部１２５の不図示のカラーフィルタガラス基板板上に形成される。
【００４０】
図１（ｂ）は、図１（ａ）に示される電極の交点部の拡大図である。１４は列電極、１５は行電極を示している。行電極１５は定電流回路１７に接続され、列電極１４は所定の電位に固定される。定電流回路１７により微弱な電流が流されると、列電極１４及び行電極１５間に発生する相互容量１６に電荷が蓄積される。１交点当たり複数回の蓄積を実施するサブスキャンを行い、積分回路１８にて積分を行う。１交点（１スキャン）の測定の結果は、Ａ／Ｄコンバータ１９によりデジタル信号に変換される。この検出信号値の変化量を静電容量変化量として測定することでタッチ検出の有無を判定することが可能である。
【００４１】
１０はタッチパネル１５１及び液晶パネル部１２５の制御回路である。制御回路１０はＰＬＬ（Ｐｈａｓｅ  Ｌｏｃｋｅｄ  Ｌｏｏｐ）回路を内蔵しており、映像信号受信部３２より得られる映像同期信号入力或いは内部発振回路３１を源振とした内部同期信号入力からクロック信号を生成する。このクロック信号に従って液晶パネル表示部１２５の表示制御、及びタッチパネル１５１のタッチ制御が行われる。
【００４２】
走査線駆動回路１１及び検出信号処理回路１２は、制御回路１０により供給されるクロック信号により駆動される。制御回路１０は検出信号処理回路により出力された各電極の検出信号値が、任意のタッチ判定の閾値を超えているか否かを検出し、超えていればタッチ検出フラグをつけて、データをメモリ１３に順次転送する。１フレームのスキャンが完了すると、メモリ１３に格納された１フレームの検出データから、タッチ検出領域のグルーピング、及びタッチ位置の重心演算を行い、タッチ検出数と、タッチ検出座標を計算する。
【００４３】
１１は走査線駆動回路であり、走査線を順次選択し駆動する。選択された走査線には、定電流回路１７により微弱な電流が流される。１走査線当たりのサブスキャン回数は、システム制御部１２０から制御回路１０への指令により、任意に変更することが可能である。１２は検出信号処理回路であり、読出線を順次選択して、検出信号を読み出す。
【００４４】
２１はシステム制御部１２０内にある映像信号生成部である。メモリ１２７の画像表示データ用領域に格納されたメニュー画面、又は外部着脱メモリ部１３０に格納された画像ファイルをＮＴＳＣやＰＡＬ等の規格化された映像信号に変換することができる。内部には映像信号の垂直同期信号ＶＳＹＮＣ及び水平同期信号ＨＳＹＮＣを生成するための同期信号生成回路を内蔵している。２２はシステム制御部１２０内にある映像信号送信部である。映像信号生成部２１で生成された映像信号を、ＤＶＩやＨＤＭＩ（登録商標）、ＭＩＰＩ、ＬＶＤＳ等の伝送フォーマットに変換する。
【００４５】
２３はシステム制御部１２０内にあるインターフェース部であり、システム制御部１２０と背面ディスプレイ１１０との表示ＯＮ／ＯＦＦ制御、同期信号切り替え制御、タッチパネルの検出領域設定制御、タッチ検出結果通知等を行う。３１は背面ディスプレイ１１０内にある内部発振回路である。３２は背面ディスプレイ１１０内にある映像信号受信部であり、ＤＶＩやＨＤＭＩ（登録商標）、ＭＩＰＩ、ＬＶＤＳ等の伝送フォーマットに従った映像信号を、ＮＴＳＣやＰＡＬ等の規格化された映像信号に変換することができる。
【００４６】
３３は背面ディスプレイ１１０内にあるインターフェース部であり、上述の通りシステム制御部１２０と制御通信を行う。３４は同期信号切り替え回路であり、制御回路１０の指示に従い、クロック信号の源振となる同期信号を、映像信号受信部３２で受信した映像信号の同期信号とするか、内部発振回路３１で生成した同期信号とするかを選択することができる。また、背面ディスプレイ１１０のゲート電極、ソース電極、コモン電極駆動に必要な電圧は、選択された同期信号に同期し、不図示の電源生成回路により生成される。
【００４７】
次に、図４のフローチャートを参照し、背面ディスプレイ１１０に関する制御処理について説明する。ステップＳ１０１では、接眼検出部１５０により、接眼が検出されたか否かを判定する。接眼が検出されたら、ステップＳ１０２へ移行する。ステップＳ１０２では、システム制御部１２０から背面ディスプレイ１１０へ、インターフェース部２３、３３を通じて切り替えコマンドを発行する。ステップＳ１０３では、ステップＳ１０２での切り替えコマンドを受け、タッチスキャンを停止する。
【００４８】
ステップＳ１０４では、背面ディスプレイ１１０のバックライト照明部１２６を消灯する。代わりに、ＥＶＦ１５２の駆動を開始する。ステップＳ１０５では、背面ディスプレイ１１０の電源生成回路の停止待ちを行う。背面ディスプレイ１１０の電源生成回路は、映像信号の同期信号に同期しているため、停止処理が完了するまでは映像信号を入力する必要がある。停止が完了すればステップＳ１０６へ移行する。
【００４９】
ステップＳ１０６では、システム制御部１２０から背面ディスプレイ１１０への映像信号出力を停止する。代わりに、ＥＶＦ１５２へ映像信号を出力し、ＥＶＦ１５２の表示を開始する。また、背面ディスプレイ部１１０の内部発振回路３１を起動する。
【００５０】
ステップＳ１０７では、同期信号切り替え回路３４により、背面ディスプレイ１１０の同期信号を、映像信号受信部３２で受信した映像信号の同期信号から、内部発振回路３１で生成した同期信号に切り替える。同時に、背面ディスプレイ１１０への映像信号生成部２１、映像信号送信部２２、及び背面ディスプレイ１１０内部の映像信号受信部の動作を停止する。映像信号生成部、映像信号送信部、映像信号受信部は、各々ＰＬＬ回路を有していることが一般的であり、消費電力が比較的大きい回路ブロックである。この各回路ブロックを停止させることにより、消費電力の削減が可能となる。
【００５１】
ステップＳ１０８では、背面ディスプレイ１１０の電源生成回路の電圧安定待ちを行う。安定待ちが完了すればステップＳ１０９へ移行する。ステップＳ１０９では、システム制御部１２０から背面ディスプレイ１１０へ、インターフェース部２３、３３を通じてタッチスキャンコマンドを発行する。ステップＳ１１０では、ステップＳ１０９でのタッチスキャンコマンドを受け、タッチスキャンを開始する。ステップＳ１１１では、ステップ１０１同様に、接眼検出部１５０により、接眼が検出されたか否かを判定する。接眼が非検出であれば、ステップＳ１１２へ移行する。
【００５２】
ステップＳ１１２では、ステップ１０２同様に、システム制御部１２０から背面ディスプレイ１１０へ、インターフェース部２３、３３を通じて切り替えコマンドを発行する。ステップＳ１１３では、ステップ１０３同様に、タッチスキャンを停止する。ステップＳ１１４では、ステップ１０５同様に、背面ディスプレイ１１０の電源生成回路の停止待ちを行う。背面ディスプレイ１１０の電源生成回路は、背面ディスプレイ１１０の内部同期信号に同期しているため、停止処理が完了するまでは同期信号を入力する必要がある。停止が完了すればステップＳ１１５へ移行する。
【００５３】
ステップＳ１１５では、背面ディスプレイ１１０への映像信号生成部２１、映像信号送信部２２、及び背面ディスプレイ１１０内部の映像信号受信部を起動し、映像信号出力を開始する。代わりに、ＥＶＦ１５２へ映像信号出力を停止し、ＥＶＦ１５２を消灯する。ステップＳ１１６では、同期信号切り替え回路３４により、背面ディスプレイ１１０の同期信号を、内部発振回路３１で生成した同期信号から、映像信号受信部３２で受信した映像信号の同期信号に切り替える。同時に、内部発振回路３１の動作を停止する。
【００５４】
ステップＳ１１７では、背面ディスプレイ１１０の電源生成回路の電圧安定待ちを行う。安定待ちが完了すればステップＳ１１８へ移行する。ステップＳ１１８では、背面ディスプレイ１１０の表示を開始する。ステップＳ１１９では、ステップＳ１０９と同様に、システム制御部１２０から背面ディスプレイ１１０へ、インターフェース部２３、３３を通じてタッチスキャンコマンドを発行する。ステップＳ１２０では、ステップＳ１１０と同様に、ステップＳ１１９でのタッチスキャンコマンドを受け、タッチスキャンを開始する。ステップＳ１２１では、背面ディスプレイ１１０のバックライト照明部１２６を点灯する。
【００５５】
なお、本発明は上述の実施形態に限定されず、その要旨の範囲内で種々の変形又は変更が可能である。例えば、実施形態１では、ＥＶＦと背面ディスプレイとの表示切り替えについて説明したが、ＥＶＦではなく、他のディスプレイとの切り替えとしてもよい。例えば、ＨＤＭＩ（登録商標）等の外部表示機器の接続を検知し、外部モニタ表示へ切り替える構成としても良い。
【００５６】
実施形態１では、ＥＶＦを搭載した構成について説明したが、ＥＶＦではなく、ＯＶＦ（光学ファインダ）を搭載した構成としても構わない。実施形態１では、背面ディスプレイを静電容量方式のタッチパネルを内蔵した液晶表示装置としたが、タッチセンサ部と表示部において機能を共用する構成であれば、他の構成としても構わない。例えば、光学式のタッチパネルを内蔵とした有機ＥＬ型の表示装置としても構わない。
【００５７】
実施形態１では、接眼検出方式を赤外線投受光による方式としたが、静電容量で検出する方法など、他の方式としても構わない。実施形態１では、撮像装置の背面ディスプレイを例に説明したが、本発明は撮像装置に限定されるものではなく、また背面ディスプレイに限定されるものではない。タッチセンサ機能を内蔵する表示装置を搭載した電子機器であれば、その形態によらず適用することが可能である。
【符号の説明】
【００５８】
１００  電子機器
２１  映像信号生成部
２２  映像信号送信部
３１  表示装置の内部発振回路部
３２  映像信号受信部
３４  同期信号切り替え部
１１０  背面ディスプレイ
１３６  各種ボタン部
１５０  接眼検出部
１５１  タッチパネル部
１５２  ＥＶＦ部
【図１】
2018074216.tif 000003
【図２】
2018074216.tif 000004
【図３】
2018074216.tif 000005
【図４】
2018074216.tif 000006